(57)【特許請求の範囲】
【請求項１】
巻芯の両端部にフランジを設けた糸巻部と、前記巻芯と同心上に設けた中心筒軸と、前記中心筒軸の一端側と前記糸巻部の一端側のフランジとを平面状に連結する側板と、を有するスプール本体を複数個備え、
前記スプール本体は、前記側板を有する側の中心筒軸の軸穴に凹状係合部を有するとともに、前記中心筒軸の他端部に、前記凹状係合部に嵌り込んで係合状態を保つ係合凸部を具備する係合凸部材を設けた第１スプールと、前記係合凸部が嵌り込む係合凹部を具備する係合凹部材を設けた第２スプールとを有する組合わせとなっていることを特徴とする釣糸用スプール連結体。
【請求項２】
前記係合凸部材は、前記中心筒軸に固定した状態で、前記糸巻部の一端面から係合凸部が突出する厚みで形成され、
前記係合凹部材は、前記中心筒軸に固定した状態で、前記糸巻部の一端面とほぼ同じ面となる厚みで形成されている請求項１に記載の釣糸用スプール連結体。
【請求項３】
前記係合凸部は、該係合凸部を前記係合凹部に嵌め込むときに縮径を許容する切欠き部を有している請求項１又は請求項２に記載の釣糸用スプール連結体。
【請求項４】
前記係合凸部材及び係合凹部材は、前記中心筒軸の反側板側端部に接着剤で固定されている請求項１〜３のいずれか１項に記載の釣糸用スプール連結体。
【請求項５】
前記中心筒軸の軸穴に挿通する支持部材と、
前記支持部材から前記スプール本体の両側部を囲うように設けられたフレーム部材と、
前記フレーム部材の上部に設けられた吊り部材と、
を有するスプール保持具をさらに備えている請求項１〜４のいずれか１項に記載の釣糸用スプール連結体。
【請求項６】
前記スプール保持具は、スプール本体の連結数と同数の糸掛け部材を前記吊り部材の近傍に備えている請求項５に記載の釣糸用スプール連結体。
【発明の詳細な説明】
【技術分野】
【０００１】
本発明は、釣糸を巻くスプールに関し、特に、巻き軸が挿通される軸穴が設けられた複数のスプールを連結できる釣糸用スプール連結体に関する。
【背景技術】
【０００２】
従来、釣糸は、その種類毎に釣糸用スプールに巻かれた状態で市場に提供されている。また、釣糸は、太さを示す号数やメーカー名などが釣糸用スプールの片側面に貼られたラベルに表記されて販売されている。これらの釣糸は、使用者の好み等に応じて購入され、スプールに巻かれた状態で予備の釣糸などとして携帯されている。
【０００３】
一方、海、河川、湖沼等の釣り場では、釣果を高めるために、その時々の状況に応じて種々の釣糸を選択して使用することが多い。そのため、一般的に、上記携帯される釣糸は、号数、柄、材質等が異なる複数の種類を携帯している。そして、船上、磯、渓流等の釣り場において、その時の状況に応じた釣糸を複数の釣糸の中から選択して使用している。また、釣り場の状況変化などに応じて、その場で他の釣糸に付け替え作業を行うこともある。
【０００４】
しかし、釣り場の状況変化に応じて複数種類のスプールから所望の釣糸が巻かれたスプールを交換作業の度に収納バッグ等から取り出し、その釣糸用スプールから釣糸を引き出して交換する作業は非常に煩雑であり、作業性が悪い。
【０００５】
また、釣糸が魚に引きちぎられて切れた場合や、針が水底の異物（岩や流木など）に引っかかって切れた場合などにも、所望の釣糸用スプールを収納バッグ等から取り出し、その場でスプールから釣糸を引き出して交換するが、この場合も煩雑で作業性が悪い。
【０００６】
さらに、複数のスプールを連結して携帯したとしても、必要な釣糸を巻き出す場合に連結したスプールが一体的に回転し、他のスプールの釣糸が垂れてしまう場合もある。
【０００７】
そこで、このような不都合を解消すべく、同種又は異種の釣糸が巻かれた複数のスプールを連結し、所望のスプールに巻かれた釣糸のみを引き出すことができるようにしようとするものがある（例えば、特許文献１参照）。
【０００８】
また、他の先行技術として、連結された複数のスプールのうちの一つだけを独立して回転させることができ、しかも、引き出す釣糸に縒りや伸びを生じさせることがないようにするものもある（例えば、特許文献２参照）。
【先行技術文献】
【特許文献】
【０００９】
【特許文献１】特開２００４−３２１０７８号公報
【特許文献２】特開２００４−２４１００号公報
【発明の概要】
【発明が解決しようとする課題】
【００１０】
しかしながら、上記特許文献１，２のように、複数のスプールを同一の向きで連結した場合、一方のスプールに巻かれた釣糸はラベルを見て確認することができるが、他方のスプールに巻かれた釣糸をラベルで確認することは難しい。つまり、連結したスプールの連結面に位置するラベルは、他方のスプールによってラベルを見ることが難しく、釣糸の号数等の種類を確認することは難しい。
【００１１】
そのため、複数のスプールを連結して用いる場合、ラベルの確認が難しい方のスプールに巻かれた釣糸の号数や種類などを記憶しておく必要がある。しかし、釣りに集中している釣り場において、釣糸の号数等の種類を記憶しておくことは非常に難しく、ラベルに表記された情報を容易に確認できないことで、迅速な釣糸交換作業が行えない。
【００１２】
また、複数の連結されたスプールを携帯する場合、スプールを落下させることなく携帯することができるとともに、それぞれの釣糸を容易に引き出すことができるようにしたい、という要望もある。
【００１３】
なお、この種の釣糸用スプールは、複数のスプールを連結した状態で搬送、及び販売されることが多いが、連結した状態で軸部分が突出するので梱包等が難しい。
【００１４】
そこで、本発明は、複数のスプールを連結して一体的に持ち歩くことができ、各スプールに巻かれた釣糸の種類を容易に識別することができる釣糸用スプール連結体を提供することを目的とする。
【課題を解決するための手段】
【００１５】
上記目的を達成するために、本発明は、巻芯の両端部にフランジを設けた糸巻部と、前記巻芯と同心上に設けた中心筒軸と、前記中心筒軸の一端側と前記糸巻部の一端側のフランジとを平面状に連結する側板と、を有するスプール本体を複数個備え、前記スプール本体は、前記側板を有する側の中心筒軸の軸穴に凹状係合部を有するとともに、前記中心筒軸の他端部に、前記凹状係合部に嵌り込んで係合状態を保つ係合凸部を具備する係合凸部材を設けた第１スプールと、前記係合凸部が嵌り込む係合凹部を具備する係合凹部材を設けた第２スプールとを有する組合わせとなっている。この明細書及び特許請求の範囲の書類中における「嵌り込み」は、凹部と凸部とが回動可能な状態で嵌り込んだ状態をいう。
【００１６】
この構成により、スプール本体の側板が設けられた側とは反対側の中心筒軸端部に係合凸部材を設けて第１スプールを形成し、この第１スプールの係合凸部材を他の第１スプールに設けられた凹状係合部に嵌め込むことで、複数のスプールを連結した釣糸用スプール連結体を構成することができる。しかも、連結するスプールの端部を、中心筒軸の端部に係合凹部材を設けた第２スプールとし、第１スプールの係合凸部材を第２スプールの係合凹部材に嵌め込んで連結することで、連結された複数のスプールの両端面を平面状とすることができる。これにより、スプールの両外面にそれぞれのラベルを位置させて容易に釣糸の種類を確認できるとともに、外面が平らな面となるように連結して、梱包等が容易な釣糸用スプール連結体を構成することができる。
【００１７】
また、前記係合凸部材は、前記中心筒軸に固定した状態で、前記糸巻部の一端面から係合凸部が突出する厚みで形成され、前記係合凹部材は、前記中心筒軸に固定した状態で、前記糸巻部の一端面とほぼ同じ面となる厚みで形成されていてもよい。
【００１８】
このように構成すれば、係合凹部材を中心筒軸に固定したスプールに対し、係合凸部材を中心筒軸に固定したスプールを連結すれば、係合凸部材の係合凸部が係合凹部材に嵌り込んで互いのスプール本体を近接させた状態で連結することができる。
【００１９】
また、前記係合凸部は、該係合凸部を前記係合凹部に嵌め込むときに縮径を許容する切欠き部を有していてもよい。
【００２０】
このように構成すれば、係合凸部材が設けられたスプールを係合凹部材が設けられたスプールと連結するときに、係合凸部材が縮径して係合凹部材に嵌め込みやすくなる。しかも、係合凸部と係合凹部との嵌め込み量を大きくでき、係合状態をより安定させることができる。
【００２１】
また、前記係合凸部材及び係合凹部材は、前記中心筒軸の反側板側端部に接着剤で固定されていてもよい。
【００２２】
このように構成すれば、スプール本体と中心筒軸とを一体成型し、係合凹部材及び係合凸部材を中心筒軸の反側板側端部に接着剤で固定することで第１スプールと第２スプールとを形成することができる。
【００２３】
また、前記中心筒軸の軸穴に挿通する支持部材と、前記支持部材から前記スプール本体の両側部を囲うように設けられたフレーム部材と、前記フレーム部材の上部に設けられた吊り部材と、を有するスプール保持具をさらに備えていてもよい。
【００２４】
このように構成すれば、スプール本体の中心筒軸に設けられた軸穴に支持部材を挿通し、フレーム部材でスプール本体の両側部を囲うようにすれば、このフレーム部材の上部に設けられた吊り部材を吊下げることで、それぞれが回転可能に連結された複数のスプールを、外面にそれぞれのラベルを位置させて容易に釣糸の種類を確認できる状態で携帯することができる。
【００２５】
また、前記スプール保持具は、スプール本体の連結数と同数の糸掛け部材を前記吊り部材の近傍に備えていてもよい。
【００２６】
このように構成すれば、スプール保持具で保持したスプールから引き出したそれぞれの釣糸を糸掛け部材に掛けて、次の利用が容易な状態でそれぞれの釣糸を保持することができる。
【発明の効果】
【００２７】
本発明によれば、複数のスプールを連結して一体的に持ち歩くことができるとともに、それらのスプールに巻かれた釣糸の種類をスプールの外面に貼られたラベルで容易に識別することが可能となる。
【図面の簡単な説明】
【００２８】
【図１】本発明の一実施形態に係る釣糸用スプール連結体の各部品を示す図面であり、(a) はスプール本体の斜視断面図、(b) は係合凸部材の斜視断面図、(c) は係合凹部材の斜視断面図である。
【図２】図１に示す各部品を組立てた状態の断面図であり、(a) はスプール本体と係合凸部材を組立てた第１スプールの断面図、(b) はスプール本体と係合凹部材とを組立てた第２スプールの断面図である。
【図３】図２に示す第１スプールと第２スプールを連結した釣糸用スプール連結体を示す断面図である。
【図４】図３に示す釣糸用スプール連結体から端部の第２スプールを外した状態の斜視図である。
【図５】本発明に用いるスプール保持具の図面であり、(a) は展開状態の平面図、(b) は展開状態の正面図、(c) は糸掛け部材の拡大図である。
【図６】図５に示すスプール保持具の使用状態を示す図面であり、(a) は正面図、(b) は平面図である。
【図７】本発明に用いる他のスプール保持具の例を示す斜視図である。
【発明を実施するための形態】
【００２９】
以下、本発明の実施形態を図面に基づいて説明する。以下の実施形態では、製作上好ましい部品数の例を説明する。また、図１では、円形の部品を半断面した状態で示し、ラベルは模式的に示して説明する。
【００３０】
図１に示すように、後述する第１スプール１、第２スプール２を形成する部品としては、(a) に示すスプール本体１０と、(b) に示す係合凸部材２０と、(c) に示す係合凹部材３０とを備えている。
【００３１】
スプール本体１０は、巻芯１１の両端部にフランジ１２，１３を設けた糸巻部１４と、上記巻芯１１と同心上に設けた中心筒軸１５と、この中心筒軸１５の一端側と上記糸巻部１４の一端側フランジ１２とを平面状に連結する側板１６とを有している。この側板１６が、後述するラベル５１，５２を貼る面となる。
【００３２】
また、上記中心筒軸１５は、同心上に中空の軸穴１７が設けられ、糸巻部１４の厚みに対して側板１６と反対側が所定量短い長さで形成されている。この中心筒軸１５には、軸穴１７の上記側板側に凹状係合部１８が設けられている。また、中心筒軸１５の側板１６と反対側は、その端部が所定径の筒状部１９に形成されている。この中心筒軸１５における凹状係合部１８の内径や側板１６と反対側の寸法等は、図２において詳細に説明する。
【００３３】
上記係合凸部材２０には、軸方向の一端に上記スプール本体１０の中心筒軸１５に形成された筒状部１９の内周に挿入されて接合される筒部２３と、その筒状部１９に当接する内筒フランジ２１が設けられている。また、軸方向の他端部には、上記軸穴１７の凹状係合部１８に嵌り込んで係合状態を保つ係合凸部２２が、上記内筒フランジ２１から突設されている。
【００３４】
この係合凸部２２は、軸方向に切欠き部２４が設けられている。この切欠き部２４は、係合凸部２２を軸穴１７に差し込むときに半径方向の撓みを許容させるものであり、この例では２カ所に設けられている。この切欠き部２４は、係合凸部２２の撓み量等に応じて適宜個数が設けられる。このような係合凸部２２の突出量や外径は、図２において詳細に説明する。
【００３５】
上記係合凹部材３０には、上記スプール本体１０の中心筒軸１５に形成された筒状部１９が挿入されて接合される外筒フランジ３１が設けられている。また、外筒フランジ３１から内方に向けて係合凹部３２が設けられている。この係合凹部３２は、上記軸穴１７の側板側に設けられた凹状係合部１８と同等の内径で形成されている。この係合凹部３２の厚みや内径は、図２において詳細に説明する。
【００３６】
図２(a) に示すように、上記スプール本体１０は、中心筒軸１５が糸巻部１４の厚みＷに対して側板１６と反対側が寸法Ｖだけ短く形成されている。また、中心筒軸１５の軸穴１７の側板側に設けられた凹状係合部１８は、所定の内径Ｄ１で形成されている。そして、スプール本体１０の中心筒軸１５の筒状部１９に係合凸部材２０が設けられ、これらスプール本体１０と係合凸部材２０とが一体となった第１スプール１が形成されている。このスプール本体１０と係合凸部材２０との接合は、中心筒軸１５の筒状部１９に内筒フランジ２１を接着剤で固定することで一体化している。
【００３７】
係合凸部材２０は、筒部２３の外径が筒状部１９の内径よりも僅かに小径に形成されており、筒部２３を筒状部１９に挿入して内筒フランジ２１が筒状部１９の端部に当接した状態で、内筒フランジ２１と中心筒軸１５とによって糸巻部１４の厚みとほぼ等しくなるようになっている。つまり、係合凸部材２０は、内筒フランジ２１の厚みが上記寸法Ｖとほぼ等しい厚みで形成されている。
【００３８】
また、内筒フランジ２１から中心筒軸１５と反対方向に突設された係合凸部２２は、上記スプール本体１０の中心筒軸１５に設けられた凹状係合部１８に嵌り込んで回動可能な状態で係合できる外径Ｄ２と突出量Ｔで形成されている。
【００３９】
このようにスプール本体１０と係合凸部材２０とを一体化した第１スプール１は、片面が側板１６から巻芯１１のフランジ１２に連なる平面状となり、他面が係合凸部材２０の係合凸部２２が中心筒軸１５から軸方向に突出した形態となる。すなわち、第１スプール１は、片面は平面状で、他面は中心筒軸１５から係合凸部２２が突出したスプールとなる。そして、このように形成された第１スプール１は、中心筒軸１５の軸穴１７に、一方の端部に凹状係合部１８が設けられ、他方の端部に係合凸部２２が設けられたスプールとなる。
【００４０】
一方、図２(b) に示す第２スプール２は、上記スプール本体１０の中心筒軸１５の筒状部１９に係合凹部材３０が設けられ、これらスプール本体１０と係合凹部材３０とが一体となって形成されている。このスプール本体１０と係合凹部材３０との接合は、中心筒軸１５の筒状部１９に外筒フランジ３１を接着剤で固定することで一体化している。
【００４１】
係合凹部材３０は、外筒フランジ３１の内径が筒状部１９の外径よりも僅かに大径に形成されており、外筒フランジ３１を筒状部１９に挿入して係合凹部３２が筒状部１９の端部に当接した状態で、係合凹部３２と中心筒軸１５とによって糸巻部１４の厚みとほぼ等しくなるようになっている。つまり、係合凹部材３０は、係合凹部３２の厚みが上記寸法Ｖとほぼ等しい厚みで形成されている。
【００４２】
また、係合凹部材３０に設けられた係合凹部３２は、上記凹状係合部１８と同様に、筒状部１９に固定された状態で上記係合凸部材２０の係合凸部２２が嵌り込んで回動可能な状態で係合できる内径Ｄ１で形成されている。
【００４３】
このようにスプール本体１０と係合凹部材３０とを一体化した第２スプール２は、片面が側板１６から巻芯１１のフランジ１２に連なる平面状となり、他面が糸巻部１４のフランジ１３とほぼ同一面となったスプールとなる。すなわち、第２スプール２は、片面が平面状で、他面は糸巻部１４の厚みＷとほぼ面一のスプールとなる。そして、このように形成された第２スプール２は、中心筒軸１５の軸穴１７に、両端部に凹状係合部１８と係合凹部３２とがそれぞれ設けられたスプールとなる。
【００４４】
図３に示すように、上記第１スプール１と第２スプール２とによれば、第１スプール１の側板１６と反対方向に突出した係合凸部２２を他の第１スプール１の軸穴１７に差し込んで凹状係合部１８に係合させることで、複数の第１スプール１を軸方向に連結することができる。図では２個の第１スプール１を連結している。
【００４５】
この連結された第１スプール１は、隣接する第１スプール１との間にほとんど隙間がないように連結させることができる。また、係合凸部２２が凹状係合部１８に係合した状態で、それぞれを個別に回転させることができるようになっている。それぞれの第１スプール１を回転させる時に要する力は、上記係合凸部２２の外径Ｄ２と凹状係合部１８の内径Ｄ２との寸法差と、それらの係合力によって設定すればよい。この係合凸部２２と凹状係合部１８との係合力は、小さな力で接して、一方のスプールを回転させたときに他方のスプールの回転を容易に止めることができるような係合力が好ましい。
【００４６】
そして、第１スプール１の係合凸部２２を第２スプール２の係合凹部３２に嵌め込むことで、この係合凸部２２が係合凹部３２に係合されて、これらを連結することができる。この第１スプール１と第２スプール２との連結も、隣接する第１スプール１と第２スプール２との間にほとんど隙間がないように連結することができる。また、係合凸部２２が係合凹部３２に係合した状態で、それぞれを個別に回転させることができるようになっている。この第１スプール１と第２スプール２とを回転させる時に要する力は、上記係合凸部２２の外径Ｄ２と係合凹部３２の内径Ｄ２との寸法差と、それらの係合力によって設定すればよい。この係合凸部２２と係合凹部３２との係合力も、小さな力で接して、一方のスプールを回転させたときに他方のスプールの回転を容易に止めることができるような係合力が好ましい。
【００４７】
しかも、このようにして軸方向に連結された釣糸用スプール連結体５は、一側面が第１スプール１の側板１６によって平面状となり（図示する左端面）、他側面が第２スプール２の側板１６によって平面状となる（図示する右端面）。すなわち、連結された第１，第２スプール１，２の軸方向両端面を平面状とすることができる。
【００４８】
つまり、図４に示すように、第１スプール１が軸方向に連結された状態で、その中心筒軸１５に設けられた係合凸部材２０の係合凸部２２を第２スプール２に設けられた係合凹部材３０の係合凹部３２（図３）に嵌め込んで連結させれば、軸方向に連結されたスプールの両端面を第１スプール１の側板１６と第２スプール２の側板１６とによって平面状にすることができる。
【００４９】
従って、第１スプール１と第２スプール２とにそれぞれ巻かれた釣糸４１，４２の号数や種類等を、それぞれのラベル５１，５２（図では５２のみを示す）を見て容易に確認することができる（この例では、第２スプール２に、「磯」用の釣糸で「２号」のラベル５２が貼られた例を示している）。つまり、例えば、２種類（複数）のスプール１，２を携帯したとしても、それぞれの釣糸の号数等の種類をラベル５１，５２で容易に確認することができる。
【００５０】
そのため、上記釣糸用スプール連結体５によれば、海、河川、湖沼等の釣り場において、その時々の状況に応じた釣糸（４１，４２）をラベル（５１，５２）を見て容易に選択し、そのスプールを単独で回転させて釣糸を使用することが容易に可能となる。
【００５１】
次に、図５(a) 〜(c) に基づいて、上記第１スプール１と第２スプール２とを組合わせて携帯する場合のスプール保持具６０の一例を説明する。図５(a),(b) に示すように、この実施形態のスプール保持具６０は、スプール本体１０の両側部を囲うように設けられた所定幅のフレーム部材６１と、このフレーム部材６１の先端部に設けられて上記中心筒軸１５の軸穴１７に挿通する支持部材６２と、上記フレーム部材６１の上部に設けられた吊り部材６３とを有している。フレーム部材６１には、吊り部材６３の両側部に曲げ溝６４が設けられている。
【００５２】
また、この実施形態では、上記吊り部材６３の近傍に、第１スプール１に巻かれた釣糸４１（図４）と第２スプール２に巻かれた釣糸４２（図４）とを引き出して掛けることができる糸掛け部材６５，６６が設けられている。図５(c) に示すように、これらの糸掛け部材６５，６６には、釣糸４１，４２（図４）を通す溝６７と、引っ掛けて止める係止溝６８とがそれぞれ設けられている。この糸掛け部材６５，６６は、保持するスプール１，２の連結数と同数（この例では、２個）が設けられる。
【００５３】
さらに、図５(a) に示すように、この実施形態では、それぞれの糸掛け部材６５，６６に数字を付記することで、スプール保持具６０のどちら側に第１スプール１又は第２スプール２が位置しているかがより分かり易くなるようにしている。
【００５４】
この実施形態のスプール保持具６０としては、上記フレーム部材６１、支持部材６２、吊り部材６３及び糸掛け部材６５，６６を、例えば、プラスチックの一体成型によって製作することができる。このようなスプール保持具６０を一体成形することで、複数のスプール１，２を保持して携帯できるスプール保持具６０を、非常に簡単な構成とすることができるとともに、製作コストを抑えることができる。
【００５５】
そして、図６(a),(b) に示すように、上記スプール保持具６０によってスプール１，２を携帯する場合、フレーム部材６１を曲げ溝６４の部分で折り曲げて先端部分に設けられた支持部材６２を対向させ、それら支持部材６２をスプール１，２の中心筒軸１５の軸穴１７に挿通させて端部を差し込むことで結合する。
【００５６】
これにより、フレーム部材６１で第１、第２スプール１，２の両側部の一部を囲った状態で保持することができる。従って、吊り部材６３でスプール保持具６０を吊下げることで、複数のスプール１，２を容易に携帯することができる。
【００５７】
しかも、スプール保持具６０に保持された状態のスプール１，２は、共にラベル５１，５２が外向きとなっているため、それぞれのラベル５１，５２を容易に確認することができる。また、この実施形態では、吊り部材６３の側部に設けられた糸掛け部材６５，６６の近傍に数字が記載されているので、スプール保持具６０のどちら側に第１スプール１、第２スプール２が保持されているかがより分かり易く、第１スプール１に巻かれた釣糸４１又は第２スプール２に巻かれた釣糸４２を容易に使い分けることができる。
【００５８】
図７は、上記複数のスプール１，２が回転可能な状態で連結された釣糸用スプール連結体５を携帯する他のスプール保持具７０である。図７に示すスプール保持具７０は、第１スプール１と第２スプール２とが連結された釣糸用スプール連結体５を内部に格納し、それぞれのスプール１，２から釣糸４１，４２を引き出して使用するケース状のものである。このスプール保持具７０は、下部に設けられたヒンジ部７１によって上部が開放するようになっている。上部には係止爪７２が設けられている。また、上部の接合部分には、吊り部材７３が設けられている。この吊り部材７３は、上部の接合部分に設けられた開口穴７４に基部を挿入して使用される。
【００５９】
このスプール保持具７０を用いることにより、内部に収納したそれぞれのスプール１，２に巻かれた釣糸４１，４２を吊り部材７３の基部を挿入する開口穴７４からそれぞれ引き出し、それぞれの釣糸４１，４２を必要に応じて使い分けることができる。
【００６０】
従って、上記スプール保持具６０，７０を用いれば、釣糸用スプール連結体５を容易に携帯し、海、河川、湖沼等の釣り場において、釣果を高めるため、その時々の状況に応じて種々の釣糸を選択して使用することが容易に可能となる。
【００６１】
また、上記図６，７のように第１スプール１と第２スプール２とを連結した２個のスプールを連結した構成の場合、例えば、１号と２号の釣糸４１，４２をセットにして販売することもでき、利用者のニーズに合った販売形態とすることもできる。この場合、２個のスプール１，２をセットにした状態で両側面を平面状にできるので、それぞれの面に貼られたラベル５１，５２を目視で確認することによって巻かれた釣糸４１，４２を容易に識別することができる。しかも、連結された状態の釣糸用スプール連結体５は、両側面が平面状であるため、梱包等も容易に行うことができる。
【００６２】
なお、上記実施形態では、１個の第１スプール１と１個の第２スプール２とを連結した例を説明したが、例えば、使用頻度の高い釣糸（例えば、釣糸４１）が巻かれた第１スプール１が２個と、使用頻度の低い釣糸（例えば、釣糸４２）が巻かれた第２スプール２が１個の３個を連結した構成や、異種の釣糸が巻かれたスプールを複数個連結する構成としてもよく、スプールの連結数や種類は上記実施形態に限定されるものではない。
【００６３】
また、連結された釣糸用スプール連結体５を携帯するスプール保持具も、上記実施形態は一例を示しており、上記実施形態に限定されるものではない。
【００６４】
さらに、上述した実施形態は一例を示しており、本発明の要旨を損なわない範囲での種々の変更は可能であり、本発明は上述した実施形態に限定されるものではない。
【産業上の利用可能性】
【００６５】
本発明に係る釣糸用スプール連結体は、海、河川、湖沼等の釣り場において複数種類の釣糸を携帯する場合に利用できる。
【符号の説明】
【００６６】
１  第１スプール
２  第２スプール
５  釣糸用スプール連結体
１０  スプール本体
１１  巻芯
１２，１３  フランジ
１４  糸巻部
１５  中心筒軸
１６  側板
１７  軸穴
１８  凹状係合部
１９  筒状部
２０  係合凸部材
２１  内筒フランジ
２２  係合凸部
２３  筒部
２４  切欠き部
３０  係合凹部材
３１  外筒フランジ
３２  係合凹部
４１，４２  釣糸
５１，５２  ラベル
６０  スプール保持具
６１  フレーム部材
６２  支持部材
６３  吊り部材
６４  曲げ溝
６５，６６  糸掛け部材
７０  スプール保持具
７１  ヒンジ部
７２  係止爪
７３  吊り部材
７４  開口穴
Ｗ  厚み
Ｖ  寸法
Ｔ  突出量
【図１】
0005436598.tif 000002
【図２】
0005436598.tif 000003
【図３】
0005436598.tif 000004
【図４】
0005436598.tif 000005
【図５】
0005436598.tif 000006
【図６】
0005436598.tif 000007
【図７】
0005436598.tif 000008